(57)【特許請求の範囲】
【請求項１】
キャビネットの上下面に、別部材のアングルを立設し、該アングルで配管スペースを形成したキャビネット構造であって、前記アングルをキャビネットの上下面に対称状に設けて、キャビネットを上下反転して設置できるように構成したことを特徴とするキャビネット構造。
【請求項２】
前記アングルに横移動可能に化粧板を被せ、該化粧板で２以上のキャビネットのアングル間を連続状に覆蓋したことを特徴とする請求項１に記載のキャビネット構造。
【請求項３】
下地桟を建築側に固設し、該下地桟に前記アングルを固定してキャビネットを設置したことを特徴とする請求項１または請求項２に記載のキャビネット構造。
【請求項４】
前記アングルの側端に化粧側板を嵌め込んでキャビネットの側端面を化粧処理したことを特徴とする請求項１または請求項２または請求項３に記載のキャビネット構造。
【請求項５】
前記化粧板または前記化粧側板をズラし、建築側幅板を回避してキャビネットを設置したことを特徴とする請求項２または請求項４に記載のキャビネット構造。
【発明の詳細な説明】
【０００１】
【産業上の利用分野】
この発明は、キャビネット構造に関するものである。
【０００２】
【従来の技術及びその課題】
図９のトイレの平面図で示すように、従来のトイレ室内５１の右側面５２には、図１０に示すような手洗付キャビネット５３を設置して、この手洗付キャビネット５３の手洗器取付部５３ａに手洗器５４を取り付けていた。なお、図１０に示すように、手洗付キャビネット５３にはロールペーパー５５も取り付けられるものである。
また、トイレ室内５１の奥側の奥壁面５６には、図１１及び図１２に示すような右キャビネット５７と左キャビネット５８を間隔をおいて設置して、その間に便器５９を設置しており、従来では、手洗付キャビネット５３，右キャビネット５７，左キャビネット５８は、上下が対称形状ではないために反転させて設置することはできないものであり、そのためトイレ室内５１の左壁面６０側に手洗付キャビネット５３を設置しようとすると、別仕様の手洗付キャビネットを用意せねばならず、部品点数が増大してしまうという問題点があり、また、従来では、便器５９への給水と手洗器５４への給水は別々に壁面側から導入しており、給・排水管の設置も面倒であるという問題点があった。
【０００３】
【課題を解決するための手段】
本発明は上記従来の問題点に鑑み案出したものであって、トイレ室内の右壁面にも、また左壁面にも、適宜現場に対応させて１種類のキャビネットで良好に対応することができ、また、設置状態の見栄え性を良好化させることができ、また、配管工事も容易となるキャビネット構造を提供せんことを目的とし、その第１の要旨は、キャビネットの上下面に、別部材のアングルを立設し、該アングルで配管スペースを形成したキャビネット構造であって、前記アングルをキャビネットの上下面に対称状に設けて、キャビネットを上下反転して設置できるように構成したことである。
また、第２の要旨は、前記アングルに横移動可能に化粧板を被せ、該化粧板で２以上のキャビネットのアングル間を連続状に覆蓋したことである。
また、第３の要旨は、下地桟を建築側に固設し、該下地桟に前記アングルを固定してキャビネットを設置したことである。
また、第４の要旨は、前記アングルの側端に化粧側板を嵌め込んでキャビネットの側端面を化粧処理したことである。
また、第５の要旨は、前記化粧板または前記化粧側板をズラし、建築側幅板を回避してキャビネットを設置したことである。
【０００４】
【実施例】
以下、本発明の実施例を図面に基づいて説明する。
図１は、トイレ室内へ設置される各キャビネットの配置構成図であり、トイレ室内１の右壁面２と奥側の奥壁面３間に亘ってＬ字状にキャビネットとカウンターが配置されるものであり、右壁面２には手洗キャビネット５が設けられ、また、奥壁面３には、右キャビネット６と左キャビネット７が間隔をおいて設置されて、図７に示すように、右キャビネット６と左キャビネット７間の前面には前パネル８が立設されて覆蓋され、前パネル８の前面に便器９が設置されるものである。
また、右キャビネット６と左キャビネット７の上面にはカウンター１０が載置されるものであり、また、このカウンター１０からＬ字状に連続して、右壁面２に沿って手洗キャビネット５に渡してカウンター１１が設置され、このカウンター１１の底側には樋状の配管カバー１２が配設されるものである。
【０００５】
前記手洗キャビネット５，右キャビネット６，左キャビネット７の上面及び下面には、それぞれ別体のアングル１３，１４が立設されて取り付けられており、図２において、右キャビネット６の上面側を拡大して説明すると、右キャビネット６の天板６ａの上面には、前側に前アングル１３と、後側に後アングル１４がそれぞれ立設されており、各アングル１３，１４はアルミで押出成形されたものである。
前アングル１３は、天板６ａにビス１５で固定される固定片１３ａの前端に、垂直に立ち上がって垂直片１３ｂが形成され、垂直片１３ｂの上端には、前方側へ水平に折り曲げて水平片１３ｃが形成されており、この水平片１３ｃの下方には、垂直片１３ｂから前側に向かってＬ字状に鉤片１３ｄが形成され、また、同様な形状の鉤片１３ｄがその下方にも形成されており、また、各鉤片１３ｄ，１３ｄの裏側には、垂直片１３ｂからボス部１３ｅ，１３ｅが形成されたものとなっている。
【０００６】
また、後アングル１４は、天板６ａにビス１５で固定される固定片１４ａの後端側に、立ち上げて垂直片１４ｂが形成され、垂直片１４ｂの上端には、前方側へ水平状に延びて水平片１４ｃが一体形成され、この水平片１４ｃの下方側の垂直片１４ｂから前方側へ延びてボス部１４ｅが形成されており、さらに下方側にもボス部１４ｅが形成されたものとなっている。この後アングル１４は下地桟１７にビス１６を用いて固定されるものである。
なお、下地桟１７は、予め奥壁面３の間柱に固定しておくことができ、良好に下地桟１７を介して後アングル１４をビス１６で固定して、何ら補強板を用いることなく、奥壁面３に良好に右キャビネット６を設置できるものである。
【０００７】
また、前記前アングル１３の前面側には、アルミニウム製の化粧幕板１８を着脱可能に取り付けることができるものである。
即ち、化粧幕板１８は、アルミニウムで押出成形されたものであり、前面側の垂直片１８ａの裏側に、水平に水平片１８ｂが形成され、底側にも水平に底片１８ｃが形成されており、水平片１８ｂ及び底片１８ｃの後端には、立ち上げ状に係止片１８ｅ，１８ｅが一体形成されたものとなっており、この係止片１８ｅ，１８ｅを、前記前アングル１３の鉤片１３ｄ，１３ｄに下方側から嵌め込んで、良好にこの化粧幕板１８を前アングル１３の前面に取り付けて化粧処理できるものである。なお、化粧幕板１８の垂直片１８ａの裏側にはボス部１８ｄ，１８ｄが一体形成されている。
なお、化粧幕板１８が取り付けられた状態で、右キャビネット６の前側の扉６ｂと面一状をなすように設定されている。また、前記前アングル１３の水平片１３ｃにはカウンター１０側からネジ３０がネジ込まれてカウンター１０が固定されるものである。なお、図中２６，２７はパッキンである。
【０００８】
この図２に拡大して示したようなアングル１３，１４は、右キャビネット６の下面側にも対称形状に取り付けられており、右キャビネット６の下面側においても、化粧ケコミ板１８を前面側から前アングル１３に被せて化粧処理できるものであり、この化粧ケコミ板１８は、前記化粧幕板１８と全く同一のものである。なお、右キャビネット６では前アングル１３に切欠が施されている。
このような前アングル１３と後アングル１４は、前記手洗キャビネット５及び左キャビネット７の上下面にもそれぞれ対称状に取り付けられている。即ち、図３には、手洗キャビネット５の上面に取り付けられた前アングル１３と後アングル１４の斜視図を示す。
なお、この各キャビネット５，６，７の上面及び下面に対称状に取り付けられた前アングル１３と後アングル１４間で配管スペースＳが形成されており、この配管スペースＳ内に良好に配管を通すことができるように設定されている。
【０００９】
なお、図３のように、配管カバー１２内の配管スペースＳ内にも配管を通して手洗キャビネット５の上面に配管を導くことができ、さらに図４に示すように、手洗キャビネット５の前アングル１３と後アングル１４には、上方より手洗器２３を良好に取り付けて、手洗器２３に対する給水管及び排水管を良好に配管スペースＳ内に配置させて便器９側に配管を接続することができ、便器９の給・排水管を良好に利用することができるものとなり、手洗器２３用の給水管等を別途壁面２に施工する必要がなく、配管工事を省略して施工を容易に行なうことができるものとなる。
【００１０】
なお、各キャビネット５，６，７の上下面には前アングル１３と後アングル１４が設けられて、上下に対称に形成されているため、上下を反転して設置することができるものであり、例えば現場によって、手洗キャビネット５を左壁面４側に設置する必要がある場合には、図８の平面図で示すように、それぞれ手洗キャビネット５，右キャビネット６を反転させて良好に設置することができ、前板８の裏側に収納されるロータンク２４への給水管２５を良好に配管カバー１２内に通して、手洗キャビネット５の前アングル１３と後アングル１４間に配置させて手洗器２３に接続することができるものである。
【００１１】
このように現場に対応して、右壁面２側にも、また左壁面４側にも、上下を反転させて設置することができ、１種類のもので良好にＬ・Ｒに対応して設置が可能となる。
また、前記化粧幕板１８及び化粧ケコミ板１８は、それぞれ前アングル１３に対し横方向にズラすことができるものであり、適宜化粧幕板１８，化粧ケコミ板１８を横方向に移動させて、例えば２以上のキャビネットを設置する場合に各キャビネットの前アングル１３，前アングル１３間に掛け渡し状に化粧幕板１８，化粧ケコミ板１８を横移動させて両者を連結して、連続した良好な見栄え性を呈する設置構造を容易に得ることができるものとなる。
【００１２】
なお、さらに図７に示すように、建築側の底面に沿って設けられている建築幅木１９を回避するために、化粧ケコミ板１８を図７の矢印で示すように横移動させて、現場で良好に建築幅木１９を回避させて化粧処理することができるものとなる。
【００１３】
さらに手洗キャビネット５においては、その側端面が露出するために化粧処理する必要があり、図５の手洗キャビネットの底側の斜視構成図で示すように、手洗キャビネット５の底板５ｄの底側には前述した如く前アングル１３と後アングル１４が立設されており、その前アングル１３の前面には化粧ケコミ板１８が覆設されているが、前アングル１３及び後アングル１４の側面に対し化粧側板２０を嵌め込んで化粧処理することができる。即ち、手洗キャビネット５を構成する側板部５ｃの下方に連続状に化粧側板２０を嵌め込むことができ、この時にも、建築幅木１９を回避するために、化粧側板２０を矢印方向に移動させて建築幅木１９を回避することができ、建築幅木１９の上面に壁面２との間に隙間が生じた部分にはスポンジ２２を嵌め込んで、水密状に化粧処理することができるものである。
【００１４】
さらに化粧側板２０と化粧ケコミ板１８の垂直片１８ａ間の隙間内には、側方より樹脂製のエンドキャップ２１を嵌め付けて化粧処理することができる。即ち、エンドキャップ２１に形成された差込棒２１ａ，２１ａを、それぞれ化粧ケコミ板１８のボス部１８ｄ，１８ｄに差し込んで、良好にエンドキャップ２１を化粧ケコミ板１８の側端面に取り付けて化粧処理することができるものである。
【００１５】
【発明の効果】
本発明は、キャビネットの上下面に、別部材のアングルを立設し、該アングルで配管スペースを形成したキャビネット構造であって、前記アングルをキャビネットの上下面に対称状に設けて、キャビネットを上下反転して設置できるように構成したことにより、アングルで形成された配管スペース内に配管を配設させることができ、従来のように壁面側に配管施工を行なう必要がなく、手洗器等をキャビネットに取り付けた場合にも、手洗器等への配管を容易に行なうことができるものとなる。
また、トイレ室内等の右側の壁面または左側の壁面の何れ側にも、キャビネットを上下反転して良好に設置することができ、Ｌ・Ｒそれぞれの仕様のキャビネットを用意しておく必要がなく、１種類のキャビネットでＬ・Ｒに良好に対応して現場で施工することができるものとなる。
【００１６】
また、アングルに横移動可能に化粧板を被せ、化粧板で２以上のキャビネットのアングル間を連続状に覆蓋したことにより、アングルに対し化粧板を横方向に移動させて、化粧板で連続状に２以上のキャビネットを覆蓋して化粧処理できるものとなり、設置状態が極めてスッキリとしたものとなる。
【００１７】
また、下地桟を建築側に固設し、下地桟にアングルを固定してキャビネットを設置したことにより、予め下地桟を建築側の間柱に固設しておけば、その下地桟に良好にアングルを固定してキャビネットを壁面に固定状に設置することができ、従来のように壁面側に補強板を取り付ける必要がなく、施工が容易なものとなる。
【００１８】
また、アングルの側端に化粧側板を嵌め込んでキャビネットの側端面を化粧処理したことにより、キャビネットの側端面に化粧側板を嵌め込んで良好に側面を化粧処理することができ、スッキリとした設置状態が得られるものとなる。
【００１９】
また、化粧板または化粧側板をズラし、建築側幅板を回避してキャビネットを設置したことにより、建築側に設けられている幅木を良好に回避して、スッキリとした状態でキャビネットを良好な意匠性を呈して設置することができるものとなる。
【図面の簡単な説明】
【図１】  トイレ室内に設置される各キャビネットの配置構成図である。
【図２】  キャビネットの上面側の断面拡大構成図である。
【図３】  手洗キャビネットの上面側の斜視構成図である。
【図４】  手洗キャビネットに手洗器を取り付ける状態の分解図である。
【図５】  手洗キャビネットの下面側を化粧側板で化粧処理する斜視構成図である。
【図６】  化粧処理を終えた状態の手洗キャビネットの下部の斜視図である。
【図７】  右キャビネットと左キャビネット間に便器を設置した状態の正面図である。
【図８】  左側の壁面に手洗キャビネットを設置した場合のＬタイプのトイレ室内の平面構成図である。
【図９】  従来のＲタイプのトイレ室内の配置状態の平面構成図である。
【図１０】  従来の手洗器付キャビネットの斜視構成図である。
【図１１】  従来の右キャビネットの斜視構成図である。
【図１２】  従来の左キャビネットの斜視構成図である。
【符号の説明】
１  トイレ室内
２  右壁面
３  奥壁面
４  左壁面
５  手洗キャビネット
５ａ  天板
５ｂ  扉
５ｃ  側板部
５ｄ  底板
６  右キャビネット
６ａ  天板
６ｂ  扉
７  左キャビネット
８  前パネル
９  便器
１１  カウンター
１２  配管カバー
１３  前アングル
１３ａ  固定片
１３ｂ  垂直片
１３ｃ  水平片
１３ｄ  鉤片
１３ｅ  ボス部
１４  後アングル
１４ａ  固定片
１４ｂ  垂直片
１４ｃ  水平片
１４ｅ  ボス部
１５，１６  ビス
１７  下地桟
１８  化粧幕板（化粧ケコミ板）
１８ａ  垂直片
１８ｂ  水平片
１８ｃ  底片
１８ｄ  ボス部
１８ｅ  係止片
１９  建築幅木
２０  化粧側板
２１  エンドキャップ
２１ａ  差込棒
２４  ロータンク
２５  給水管
Ｓ  配管スペース
【図１】
0003728586.tif 000002
【図２】
0003728586.tif 000003
【図３】
0003728586.tif 000004
【図４】
0003728586.tif 000005
【図５】
0003728586.tif 000006
【図６】
0003728586.tif 000007
【図７】
0003728586.tif 000008
【図８】
0003728586.tif 000009
【図９】
0003728586.tif 000010
【図１０】
0003728586.tif 000011
【図１１】
0003728586.tif 000012
【図１２】
0003728586.tif 000013